(57)【要約】【課題】遊技機の解錠装置に課せられている操作性と不正防止といった２つの課題を一挙に解決する。【解決手段】受信器２に設けられた凹部３に送信機５の突部６を嵌め合わせ、接触子３ａ、６ｂ同士を電気的に接続させた状態を維持したまま、送信器５のスイッチ７（７ａ又は７ｂ）を押して解錠信号を受信器２に送り出す。受信器２は解錠信号を解析し、真性の信号であることを確認したら解錠指令を発する。前記スイッチ７は、枠体用７ａとガラス扉用７ｂとの二種類があり、どちらかが選択される。【選択図】    図２
2004147790.tif 000002
【特許請求の範囲】
【請求項１】
施錠機構付き遊技場用設備に組み付けられた受信器に対し、持ち運び自在な送信器の一部が接触状態となっていることを条件に、解錠信号の伝達を可能とし、送信器から発せられた解錠信号に基づいて前記施錠機構の解錠動作を自動的に実行する遊技場用解錠装置。
【請求項２】
受信器の所定部位に、送信器の特定部位を嵌め合わせる凹部を形成した請求項１に記載の遊技場用解錠装置。
【請求項３】
受信器と送信器との双方に接触子を設け、それら接触子を電気的に接続させることにより解錠信号の伝達を行う請求項１又は２に記載の遊技場用解錠装置。
【請求項４】
受信器に、送信器との接触操作で作動するスイッチを設け、そのスイッチが作動された場合に限り、送信器から送り出された解錠信号の伝達を容認する請求項１〜３のいずれかに記載の遊技場用解錠装置。
【請求項５】
解錠信号が非接触手段にて伝達可能である請求項４に記載の遊技場用解錠装置。
【請求項６】
送信器は、解錠信号を送り出す前に解錠要請信号を送り出し、受信器がその解錠要請信号を受信して応答信号を送り返したら、送信器はその応答信号を確認して解錠信号を送り出すフィードバック機能を備えた請求項１〜５のいずれかに記載の遊技場用解錠装置。
【発明の詳細な説明】
【０００１】
【発明の属する技術分野】
本発明は、スロットマシン、パチスロ機、パチンコ機など、遊技場に設置され、不特定多数のプレーヤーを対象とする遊技機、その遊技機でプレーするに必要な遊技玉やコイン貸出機など、遊技場に設置される施錠機構付き設備の解錠装置に関する。
【０００２】
【従来の技術】
遊技場内に設置されている遊技機は、内部を勝手に操作されないよう、ガラス扉や枠体は施錠されていて、開くには解錠操作が必要である。
この種の解錠装置としては、キーを差し込んで爪付きカムを左右に回動させることで、枠の裏側に配置されたスライドバーを移動させ、係止爪を外す機械式のタイプが古くから全国に広く普及している（例えば特許文献１、２）。
しかしこの解錠装置は、未だに大きな２つの課題を背負っている。
先ず第１には、遊技場内において、呼び出しランプが点灯する度に係員が馳せ参じ、プレーヤーの対応に追われているが、解錠するには、隣り合うプレーヤーに挟まれた隙間から不自然な姿勢で肩越しにキーを回す操作をしなくてはならない。
折しも、近年は遊技場の係員として若い女性の台頭はめざましく、そのため労働力の軽減が求められているが、中でも特にキー操作の改善が挙げられ、それに応えるべく電波、赤外線、超音波などの信号でアクチュエータを動作させるリモートコントロール式の解錠装置も開発されている（特許文献３，４）。
もう１つの課題は、不正行為の防止にある。
不正行為を完全に撲滅するのは難しいであろうが、少なくとも不正行為をしにくい環境を構築することは是が非でも達成しなくてはならない課題である。
キーは、機械式、無線式を問わず、道具さえあれば簡単に複製できる。
一つでも複製されてしまうと、その後はネズミ算的に増え、被害は増大し、キーの交換以外、阻止する手立てはない。
よって機械式であれば複数のキーを使い分け、無線式であれば定期的に解錠信号を更新するなどして対応する。
【０００３】
【特許文献１】
特開平１１−１６４９５２号公報
【特許文献２】
特開２００２−３０１２５１号公報
【特許文献３】
特開平８−５７１３２号公報
【特許文献４】
特開平８−２１８６９７号公報
【０００４】
【発明が解決しようとする課題】
機械式の解錠装置は、前述したように、操作性において改善の必要がある。
無線式の解錠装置は、台から離れた位置で操作が可能であるため、労力が軽減され、遊技場の係員には好評である反面、皮肉なことに、不正を企てようとする輩にとっても，送信器を隠し持って周囲に気づかれることなく解錠操作をするには好都合となってしまう。
又、遊技場内総ての解錠装置は同じ信号で動作するようセッティングされているので、隣の台、或いは複数の台までが同時に開いてしまう、誤作動という致命的な欠点もある。
さらに、遊技場ではあまりにも遊技機に対する不正行為が多く発生していることから、心理的に、不正行為が犯罪ではないかのごとく錯覚してしまう傾向が強く、玉貸し機や飲み物の自動販売機にまで被害が及んでいるのが実情である。
【０００５】
【課題を解決するための手段】
本発明は、係員に対しては操作性重視により重労働からの解放を図る一方で、けしからん輩に対しては不正をしにくい環境造りによって締め出しを図らんとする解錠装置であって、その構成は、施錠機構付き遊技場設備に組み付けられた受信器に対し、持ち運び自在な送信器の一部が接触状態となっていることを条件に、解錠信号の伝達を可能とし、送信器から発せられた解錠信号に基づいて自動的に解錠動作が実行されることにある。
そして受信器の所定部位に、送信器の特定部位を嵌め合わせる凹部を形成したり、受信器と送信器との双方に接触子を設け、それら接触子を電気的に接続させることにより解錠信号の伝達を行うようにしたり、受信器に、送信器との接触操作で作動するスイッチを設け、そのスイッチが作動された場合に限り、送信器から送り出された解錠信号の伝達を容認するようにしたり、解錠信号を非接触手段にて伝達可能としたり、送信器が、解錠信号を送り出す前に解錠要請信号を送り出し、受信器がその解錠要請信号を受信して応答信号を送り返したら、送信器はその応答信号を確認して解錠信号を送り出すフィードバック機能を備えたものにもできる。
【０００６】
【発明の実施の形態】
以下、本発明に係る解錠装置を遊技機に実施した形態を図面に基づいて説明する。
１は遊技機としてのパチンコ機であって、このパチンコ機の枠体１ａには受信器２が組み込まれていて、その受信器２は、枠体１ａの表面から受信部が顔を出し、顔出し部には後述する送信器とドッキングさせるための凹部３と、信号の入力準備が完了したことを知らせる接続確認ランプ４とが設けられている。
前記凹部３は鍵穴的な役割を担っており、例えば円形断面で、１２時方向にガイド溝３ａを有した形状とし（図２のａ）、凹部３と合致する突部を有した送信器以外とは接続できない構造になっている。
【０００７】
５は送信器であって、この送信器５は、前記ガイド溝３ａの付いた凹部３に対応した嵌め込み用のリブ付き突部６が設けられ、内部には図２の（ｂ）に示すように、バッテリ５ａ、及びそのバッテリ５ａで動作される電子回路５ｂ、並びに外部から押圧操作可能な解錠スイッチ７が組み込まれている。
又、突部６の左右には導電性を有した接触子６ａ，（６ａ）が露出し、この接触子６ａ，（６ａ）に電子回路５ｂから解錠信号が出力されるようになっている。
【０００８】
前記受信器２の凹部３内には、送信器５の突部６の接触子６ａ，６ａに対応した接触子３ｂ、３ｂが設けられていて、送信器５の突部６を受信器２の凹部３に嵌め合わせることによって、送信器５と受信器２とが電気的に接続され、送信器５から受信器２側へ信号が送り出されるようになっている。
尚、敢えて言うまでもないが、例えば３時方向にリブのある突部を有した送信器では、その送信器を４５度左回りに位相をずらせて嵌め合わせを試みたとしても、接触子相互の位置がずれてしまうので電気的な接続はなされない。
【０００９】
送信器５から送り出される信号は、例えば送信器固有のＩＤ番号や予め定められている暗証番号、それらの組み合わせ、それらを暗号化したものなどが使用される。
ここで図４に基づいて解錠動作を説明すると、送信器５の突部６が受信器２の凹部３に嵌め合わせられると（図３ａ．ｂ）、送信器５と受信器２とが接触子３ｂ，６ａを介して電気的に接続され、受信器は、Ｓ１で接触子３ｂ．６ａ間のインピーダンスの変化を検知することにより送信器がセットされたことを確認して受信準備の体勢を採り、Ｓ２で接続確認ランプ４を点灯させると共に、Ｓ３で受信待ち受けモードに切り換える。
接続確認ランプ４の点灯を確認後、解錠スイッチ７を押すことで所定の解錠信号が送り出されると、Ｓ４にて信号を受信し、Ｓ５で即座に解錠信号の内容を解析し、真性の信号であると判定されたらＳ６にて解錠指令を出力し、モータ（図示せず）を回転させて解錠動作を実行する。
前記解錠スイッチ７は、枠体用７ａとガラス扉用７ｂとの二種類が用意されていて、操作されたスイッチに応じた解錠動作が実行される。
枠体、或いはガラス扉を開いて必要な作業が終了した後は、枠体、或いはガラス扉を閉め、受信器は外されてしまうが、その際は、Ｓ７にてインピーダンスの変化から受信器の取り外しを察知し、Ｓ８にて接続確認ランプ４を消灯させる。
【００１０】
モータの回転を利用して解錠するには、モータ軸に連動したカムの爪で引っかけてスライドバーを移動させたり、ワイヤで係止爪を直接引っ張って外したり、ラックピニオンでスライドバーを往復移動させるなど、周知の機構を利用することができ、モータ以外の電気式アクチュエータ、エアー圧、或いは油圧利用のアクチュエータも好適利用することもできる。
このように、送信器を受信器に接触させることを条件として信号の伝達を可能としたので、無線式のように離れたところから隠れてこそこそ操作することができず、解錠操作しようとすれば誰にでも一目でそれがわかってしまうから、不正防止には効果的である。
又、図５に示すように、隣り合うプレーヤーＭ，Ｍ間を肩越しに手を伸ばしておこなう解錠操作も、回転が不要であるから若い女性でも疲れが少ない。
【００１１】
前記実施例に示した解錠装置は、受信機の凹部に送信機の突部を嵌め合わせることで、互いに正確な位置決めができるようになっているが、平面同士を接触させるようにしても差し支えない。
又、接触子同士を接触することで信号の伝達を可能とするばかりでなく、例えば図６に例示するように、凹部３内に突部６の差込操作で動作する接触式のリミットスイッチ８を設け、そのリミットスイッチ８に連動し、光や電波信号などを非接触にて送受信する無線通信手段９を利用したり、例えば図示はしないが、スイッチの押しボタン内に組み込んだスキャナーで指の指紋を読み取って送信器の使用者を判別し、登録された使用者以外が操作すると、遊技場サイドでそれを察知できる体制を採るようにもできる。
【００１２】
又、施錠／解錠の動作確認ランプを設けたり、送信器から、解錠信号が送り出される前に解錠要請信号を送り出すように構成し、図７に例示するように、Ｓ１１で送信器が送り出した解錠要請信号を、受信器がＳ１２にて受信したら、受信確認後にＳ１３にて応答信号を送り返し、送信器はＳ１４でその応答信号を確認したら、Ｓ１５で解錠信号を送り出し、その解錠信号をＳ１６で受信器が受信して始めて解錠動作を実行するといったフィードバック機能を加えて再確認させるなど、セキュリティを高めることが望ましい。
更に、送信器のバッテリ切れを考慮し、送信器に必要な電力が受信器側から供給されるようにしたり、機械式のキーと併用することで強制解錠を可能にするなど、信号を定期的に変更したり、リミットスイッチに代え、静電気式や抵抗式あるいは光学式のタッチセンサを利用することもできる。
正しい信号を認識できない場合は、原因が解明されるまで抜き外しを不能とし、原因が追及されるまで持ち去られないようにすることができる。
【００１３】
尚、いずれの実施例もパチンコ機について説明したが、パチンコ機以外のパチスロ機、スロットマシンといった遊技機は勿論、遊技場に設置される設備の総てに適用することができ、遊技場に付設し、駐車場の一角に設けられる景品交換所での採用も有力な候補の一つに数えられる。
又受信器の取り付け位置、送信器の形態などは実施例に限定されるものでなく、受信器を呼び出しランプに取り付け、呼び出しランプの消灯機能を付加したり、コンピュータに解錠操作の履歴を記録したり、総ての枠体を一斉解放することのできる機能を付加したマスターキーを設定するなど、様々な使用形態や利用形態の開発が期待される。
【００１４】
【発明の効果】
本発明によれば、解錠信号の伝達が受信器との接触を条件としているので、ワイヤレスキーのように隠し持ったままでは解錠操作をすることができず、不正行為が未然に防止される。
又、回動操作なくして解錠できるから、機械式に比べて操作性に優れ、疲労が軽減され、特に若い女性には好都合である。
更に、解錠時、受信器の凹部に送信器の突部を嵌め合わせる構成としたり、接触子を介して電気的に接続させる構成としたり、スイッチが作動された場合に限り、送信器から送り出された解錠信号の受信を容認する構成としたり、解錠信号を非接触手段にて伝達可能としたり、フィードバック機能を持たせることで、操作性の向上、セキュリティの充実を図ることができる。
【図面の簡単な説明】
【図１】本発明に係る解錠装置の説明図である。
【図２】送信器及び受信器の説明図である。
【図３】解錠手順の説明図である。
【図４】解錠動作のフローチャート説明図である。
【図５】遊技場内での使用説明図である。
【図６】変更例の説明図である。
【図７】変更例の解錠動作を示したフローチャート説明図である。
【符号の説明】
１・・パチンコ機、２・・受信器、３・・凹部、３ａ・・ガイド溝、３ｂ・・接触子、４・・接続確認ランプ、５・・送信器、５ａ・・バッテリ、５ｂ・・電子回路、６・・突部、６ａ・・接触子、７・・解錠スイッチ、７ａ・・枠体用（スイッチ）、７ｂ・・ガラス扉用（スイッチ）、８・・リミットスイッチ、９・・無線通信手段。
【図１】
2004147790.tif 000003
【図２】
2004147790.tif 000004
【図３】
2004147790.tif 000005
【図４】
2004147790.tif 000006
【図５】
2004147790.tif 000007
【図６】
2004147790.tif 000008
【図７】
2004147790.tif 000009